(57)【要約】【課題】指圧力を比較的容易に調整することができ、適正なマッサージ効果を容易に得ることができる指圧代用器を提案する。【解決手段】棒軸状の柄部１１と、該柄部１１から同軸上に縁設された指圧端部４，１４とを備え、該指圧端部４，１４が、軸端側へ向かって曲率が大きくなる放物面形の指圧面１０，２０を有する指圧代用器１である。この指圧代用器１は、指圧端部４，１４を肩や背中等に押し当てる角度を適宜調整することにより、該指圧端部４，１４による指圧面積と指圧力とを容易に調整することができるため、指圧の専門家と同等のマッサージ効果を容易かつ適正に得ることができる。【選択図】図１
0003149082.tif 000002
【実用新案登録請求の範囲】
【請求項１】
棒軸状の柄部と、該柄部から少なくとも一方へ同軸上に延設された、周面を指圧面とする指圧端部とを備え、前記指圧端部が、軸端側へ曲率が大きくなる放物面形をなすものであることを特徴とする指圧代用器。
【請求項２】
中空筒形状を成し、その一端に指圧端部を備えた主筐体と、該主筐体の他端開口縁に係合される副筐体とを備えてなり、
前記主筐体の内部に、該主筐体の指圧端部を振動する振動手段が配設されると共に、
主筐体と副筐体との係合により、前記振動手段に電力供給する電力供給手段を収納する収納空域が形成されるものであることを特徴とする請求項１に記載の指圧代用器。
【請求項３】
主筐体が、一端から指圧端部が延設された中空筒形の主柄筒部を備え、
副筐体が、中空筒形の副柄筒部と、該副柄筒部の一端から延設された指圧端部とを備えてなり、
主筐体の主柄筒部の他端開口縁と副筐体の副柄筒部の他端開口縁とを係合した状態で、該主柄筒部と副柄筒部とにより柄部を構成すると共に、両端に指圧端部を備えてなるものであることを特徴とする請求項２に記載の指圧代用器。
【請求項４】
指圧端部の軸端内部に、磁石が配設されていることを特徴とする請求項１乃至請求項３のいずれか１項に記載の指圧代用器。
【請求項５】
柄部が、その両端から長手方向中央に向かって徐々に縮径する外周面形をなすものであることを特徴とする請求項１乃至請求項４のいずれか１項に記載の指圧代用器。
【請求項６】
柄部の長手方向中央に、複数のビーズ状クリスタルガラス片を周方向に沿って列設してなる刺激リングを、一又は複数配設し、且つ、該刺激リングの仮想外周径が柄部の両端外径とほぼ同等としているものであることを特徴とする請求項５に記載の指圧代用器。
【考案の詳細な説明】
【技術分野】
【０００１】
本考案は、主に肩、背中、手、足などの指圧に代用するための指圧代用器に関する。
【背景技術】
【０００２】
指圧代用器としては、棒状の柄部の両端に球形や半球形の指圧部を設けた構成が良く知られている（例えば、特許文献１）。このような指圧代用器は、柄部を持って一方の指圧部を肩や背中などに当てて押すことにより、専門家の指圧によるマッサージと同様のマッサージ効果を比較的容易に得ることが可能である。また、その他の構成として、両端の指圧部を外径の異なる大小の球形としたものもあり、一方を選択して行うことができるようになっている。
【０００３】
【特許文献１】特開２００６−３０５１１２号公報
【考案の開示】
【考案が解決しようとする課題】
【０００４】
ところで、上記した従来の指圧代用器は、指圧部が一定の曲率からなる球形又は半球形であるため、該指圧部を押し当てた領域（以下、指圧面積という）が一定である。そのため、使用者が力加減を調整することにより、指圧部から作用する圧力（以下、指圧力という）を調整してマッサージを行っていた。しかしながら、適度なマッサージ効果を得るために力加減を調整することは難しく、過度な力を掛けてしまうと逆効果になることもあり得る。また、指圧部を指圧力の作用した状態から急激に離してしまうと、筋緊張を誘発するために好ましくなく、この場合の力加減も難しい。このように、従来の指圧代用器では、使用者が力加減を正確に調整することを求められるが、その力加減の調整が難しく、適正なマッサージ効果が得られ難いという問題を生じていた。
【０００５】
さらに、上記のように大小の球形や半球形の指圧部を備えた構成にあっては、一方の指圧部を選択して使用することにより、指圧面積が変わるために指圧力を変えることも可能であるが、交替する際に、指圧部を急激に離して再度押すこととなるために、上記した筋緊張を生じ易いという懸念もある。
【０００６】
本考案は、上記した問題点の解決を試みたものであり、比較的容易に適正なマッサージ効果を得ることができる指圧代用器を提案するものである。
【課題を解決するための手段】
【０００７】
本考案は、棒軸状の柄部と、該柄部から少なくとも一方へ同軸上に延設された、周面を指圧面とする指圧端部とを備え、前記指圧端部が、軸端側へ曲率が大きくなる放物面形をなすものであることを特徴とする指圧代用器である。ここで、放物面形としては、軸端（先端）へ向かうに従って曲率が徐々に大きくなり、軸端で最も大きな曲率となる曲面を有し、異なる曲率の曲面が滑らかに連続している構成である。換言すれば、本考案の放物面形は、その断面形状が軸端へ向かう緩和曲線からなる曲面形であるとも言える。また、指圧端部を両端に設ける場合には、両方の指圧端部が同じ放物面形とした構成、互いに異なる放物面形とした構成のいずれとすることもできる。
【０００８】
かかる構成にあって、指圧端部の指圧面が放物面形であることから、該指圧端部を押し当てる角度（以下、指圧角度と言う）を変えることによって、押し当てる指圧面の曲面部位が変わるため、該曲面部位の曲率に応じて指圧面積が変わり且つ同じ力加減でも指圧力が変わる。そのため、使用者が指圧角度を適宜変更することにより、容易に指圧力を調整することができ、状況に応じて適正なマッサージを行うことができる。また、押付けながら指圧角度を変化することにより指圧力の調整も容易にできるため、適正な指圧力を容易に見つけだして保持できる。さらに、当該指圧代用器を離す際に、指圧面積を広くするように指圧角度を変化させて離すことにより、離すときに生ずる筋緊張を可及的に抑制することもでき得る。
【０００９】
また、このように指圧角度の調整により指圧力を調整できることから、例えば、比較的力の弱い使用者でも、指圧端部の軸端を押し当てることにより、指圧力が集中して比較的強くマッサージを行うことができる。
【００１０】
尚、指圧突部の指圧面にあっては、軸端側へ曲率が大きくなる放物面形として様々な形状の構成とすることができる。例えば、指圧面全体として曲率が軸端側へ緩やかに大きくなる放物面形とすることにより、比較的ソフトなマッサージ効果を得ることができる構成とすることができる。又は、軸端近傍で曲率が急激に大きくなる放物面形とすれば、その軸端側で比較的強いマッサージ効果を得ることのできる構成とすることができる。さらに、放物面形を略尖鋭化した形状とした構成とすれば、その軸端側で一層強いマッサージ効果を得ることのできる構成とすることもできる。このように、指圧突部の放物面形を様々に設定することによって、使用状況に適応したマッサージ効果を得ることのできるものとなり得る。
【００１１】
上述した指圧代用器にあって、中空筒形状を成し、その一端に指圧端部を備えた主筐体と、該主筐体の他端開口縁に係合される副筐体とを備えてなり、前記主筐体の内部に、該主筐体の指圧端部を振動する振動手段が配設されると共に、主筐体と副筐体との係合により、前記振動手段に電力供給する電力供給手段を収納する収納空域が形成されるものである構成が提案される。ここで、主筐体と副筐体とが係合された状態で、該主筐体の外面と副筐体との外面とにより、当該指圧代用器の全体外面が構成される。
【００１２】
かかる構成にあっては、指圧端部を振動することにより、マッサージ効果を高めることができると共に、電力供給手段を内部に配設するため、使い易く且つ携帯性に優れるという利点を有する。そして、指圧端部の指圧面が放物面形であることから、曲率の小さい指圧面の基端から曲率の大きい指圧面の先端（軸端）に向かって前記振動が集中するため、指圧端部の軸端（先端）を当てることにより、強い振動が作用してマッサージ効果を向上できる。また、指圧面の基端近傍では、軸端に比して振動も弱いため、ここを当てることにより、ソフトな振動によるマッサージを行なうこともできる。このように振動の強弱を利用して、適正なマッサージ効果を得ることが可能である。
【００１３】
上述した指圧代用器にあって、主筐体が、一端に指圧端部が延設された中空筒形の主柄筒部を備え、副筐体が、中空筒形の副柄筒部と、該副柄筒部の一端から延設された指圧端部とを備えてなり、主筐体の主柄筒部の他端開口縁と副筐体の副柄筒部の他端開口縁とを係合した状態で、該主柄筒部と副柄筒部とにより柄部を構成すると共に、両端に指圧端部を備えてなるものである構成が提案される。
【００１４】
かかる構成にあっては、両端に指圧端部を備えるために、いずれの指圧端部を用いても上述したように比較的容易に適正なマッサージ効果を得ることができる。また、副筐体の指圧端部は、副柄筒部等を介して間接的に振動が伝わるために減衰し、主筐体の指圧端部に比してソフトな振動を生じる。そのため、両端の指圧端部を選択的に使用することにより、比較的容易に適正なマッサージ効果を得やすいという優れた利点がある。
【００１５】
上述した指圧代用器にあって、指圧端部の軸端内部に、磁石が配設されている構成が提案される。ここで、両端に指圧端部を備えた構成の場合には、両方の指圧端部に磁石を配設した構成、いずれか一方の指圧端部に磁石を配設した構成のいずれとすることもできる。
【００１６】
かかる構成にあっては、指圧端部を肩などに押し当てた場合に、該指圧端部の軸端（先端）に配設した磁石の磁力により、マッサージ効果を高めることができる。
【００１７】
上述した指圧代用器にあって、柄部が、その両端から長手方向中央に向かって徐々に縮径する外周面形をなすものである構成が提案される。
【００１８】
かかる構成にあっては、柄部を、使用者がその手により把持し易いため、指圧角度や力加減を調整し易い。さらに、持ち易いことから、指圧端部を肩などに押し当てている際に、疲れ難いという利点もある。
【００１９】
上述した指圧代用器にあって、柄部の長手方向中央に、複数のビーズ状クリスタルガラス片を周方向に沿って列設してなる刺激リングを、一又は複数配設し、且つ、該刺激リングの仮想外周径が柄部の両端外径とほぼ同等としているものである構成が提案される。
【００２０】
かかる構成にあっては、使用者が手に持って肩などを押す場合に、その掌をビーズ状クリスタルガラス片により刺激することもできる。そして、柄部を把持する際に、滑り止めの役割も発揮できる。また、刺激リングの仮想外周径を柄部の両端外径とほぼ同等としていることにより、床などで容易に転がすことができるため、床上で、足の裏で転がすことにより、該足の裏を刺激することもできる。
【考案の効果】
【００２１】
本考案の指圧代用器は、上述したように、棒軸状の柄部と、該柄部から少なくとも一方へ同軸上に延設された、周面を指圧面とする指圧端部とを備え、前記指圧端部が、軸端側へ曲率が大きくなる放物面形をなすものであるから、指圧角度を適宜変更することにより、指圧力を容易に調整でき、適正なマッサージ効果を容易に得ることができ得る。
【００２２】
上述した指圧代用器にあって、主筐体と副筐体とから構成され、その内部に、指圧端部を振動する振動手段を配設し、且つ電力供給手段を収納する収納空域を形成してなる構成とした場合には、振動によりマッサージ効果を高めることができると共に、携帯性に優れる。さらに、主筐体の指圧端部の軸端に振動が集中するため、該軸端を肩などに当てることにより、一層高いマッサージ効果を得ることもできる。また、ここで、副筐体の一端に指圧端部を延設してなる構成とした場合には、副筐体の指圧端部はソフトな振動により指圧することができるため、主筐体の指圧端部と適宜選択して用いることによって、適正なマッサージ効果を得やすいという利点がある。
【００２３】
上述した指圧代用器にあって、指圧端部の先端内部に、磁石が配設されている構成の場合には、磁力により、マッサージ効果を高めることができる。
【００２４】
上述した指圧代用器にあって、柄部が、その両端から長手方向中央に向かって徐々に縮径する外周面形をなすものである構成の場合には、柄部を、使用者がその手により把持し易いため、指圧角度や力加減を比較的容易に調整し易い。したがって、上述した本考案の作用効果を一層適正に奏し得る。
【００２５】
ここで、柄部の長手方向中央に、複数のビーズ状クリスタルガラス片を周方向に沿って列設してなる刺激リングを、一又は複数配設し、且つ、該刺激リングの仮想外周径が柄部の両端外径とほぼ同等とするように形成されてなるものとした構成にあっては、使用者が手に持って肩などを押す場合に、その掌をビーズ状クリスタルガラス片により刺激することもできる。また、床などにおいて、足の裏で転がすことにより、該足の裏を刺激することができる。
【考案を実施するための最良の形態】
【００２６】
本考案の実施例を添付図面に従って説明する。
図１は、本実施例の指圧代用器１の側面図であり、図２は縦断面図であり、図３は分解図である。この指圧代用器１は、その外観上の全体形状を成す主筐体２と副筐体３とを備え、その内部に、モータ２１と、該モータ２１を駆動する電池３１を収納する収納空域３２とが設けられている。そして、主筐体２は、その一端に指圧端部４を延設し、副筐体３は、該主筐体２の指圧端部４に対向する一端に指圧端部１４を延設してなる。さらに、指圧代用器１には、その長手方向中央に、ビーズ状クリスタルガラス片５２を周方向に列設した刺激リング５１が、四つ並設されている。
【００２７】
尚、本実施例にあっては、主筐体２と副筐体３とがＡＢＳ樹脂により形成されている。
【００２８】
上記の主筐体２は、中空筒形状をなし、円筒形の主柄筒部５と、該主柄筒部５の一端から延設された指圧端部４とから構成されている。この主柄筒部５と指圧端部４とは、主筐体２の中心軸線Ｓ１を中心とする同軸上に形成されている（図３参照）。ここで、主柄筒部５は、図２，３のように、所定外径の他端開口縁６と、該他端開口縁６より太径のリング設置周部７と、指圧端部４側へ向かって徐々に滑らかに拡径する傾斜周部８とから構成されており、他端開口縁６とリング設置周部７と傾斜周部８とは、中心軸線Ｓ１を中心とする同軸上に形成されている。そして、他端開口縁６とリング設置周部７とは、径方向に沿った段周部６ａを介して連成されており、リング設置周部７と傾斜周部８とは、径方向に沿った段周部７ａを介して連成されている。また、前記の他端開口縁６には、その外周面に、周方向に沿って均等間隔で二つの係合溝９が形成されている。
【００２９】
主筐体２の指圧端部４は、その周面を指圧面１０とし、前記した中心軸線Ｓ１を中心とする放物面形を成す。そして、この放物面形は、軸端（先端）４ａに向かって曲率が徐々に大きくなる滑らかな曲面が連成されてなり、軸端４ａが最も大きな曲率の曲面をなし、主柄筒部５と連成する基端４ｂが最も小さな曲率の曲面を成している。さらに詳述すれば、図４のように、軸端４ａにおける曲面部位ｘでは、その曲率半径ｒ１が最も小さいことから、曲率（１／ｒ１）が最も大きくなる。これに対して、基端４ｂ近傍における曲面部位ｙでは、その曲率半径ｒ２が最も大きくなることから、曲率（１／ｒ２）が最も小さくなる。さらに、軸端４ａと基端４ｂとの間に存在する曲面部位ｚにあっては、その曲率半径ｒ３が、前記曲面部位ｘの曲率半径ｒ１より大きく、且つ曲面部位ｙの曲率半径ｒ２より小さい。そのため、曲面部位ｚの曲率（１／ｒ３）が、曲面部位ｘの曲率（１／ｒ１）より小さく、且つ曲面部位ｙの曲率（１／ｒ２）より大きい。このように、曲面部位ｘ，ｙ，ｚでは、曲率（１／ｒ１）＞曲率（１／ｒ３）＞曲率（１／ｒ２）の関係にある。このように、指圧端部４の指圧面１０は、基端４ｂから軸端４ａに向かって曲率が徐々に大きくなる放物面形をなす。尚、後述する副筐体３の指圧端部１４にあっても、その指圧面２０が、同様に、基端１４ｂから軸端１４ａに向かって曲率が徐々に大きくなる放物面形をなす（図示省略）。
【００３０】
一方、上記の副筐体３は、図２，３のように、中空筒形状をなし、円筒形の副柄筒部１５と、該副柄筒部１５の一端から延設された指圧端部１４とから構成されている。ここで、副柄筒部１５と指圧端部１４とは、副筐体３の中心軸線Ｓ２を中心とする同軸上に形成されている。そして、指圧端部１４は、上記した主筐体２の指圧端部４と同じ放物面形を成す。すなわち、指圧端部１４は、上記のように、基端１４ｂから軸端１４ａに向かって曲率が徐々に大きくなる滑らかな曲面により連成された指圧面２０を有する。
【００３１】
また、副柄筒部１５は、その外周面が、指圧端部１４を延設した一端から他端開口に向かって、外径が縮径する傾斜面となっている。そして、本実施例にあっては、副柄筒部１５の外周面形状が、上記した主筐体２の主柄筒部５を構成する傾斜周部８の外周面形状と同じ寸法形状に形成されている。すなわち、副柄筒部１５の長手方向長さは、上記した主柄筒部５の傾斜周部８と同じ長さであり、且つ副柄筒部１５の他端開口端の外径が、傾斜周部８の他端開口側の端部外径と同じである。
【００３２】
さらに、副柄筒部１５の他端開口縁１６には、その内周面に、内方へ突出する二つの係合突部１７が周方向に沿って均等間隔で形成されている。ここで、他端開口縁１６の内径は、上記した主柄筒部５の他端開口縁６の外径より大きく、かつ主柄筒部５のリング設置周部７の外径より小径となっている。そのため、副柄筒部１５の他端開口縁１６を、主柄筒部５の他端開口縁６に外嵌し、外嵌した状態で、他端開口縁１６の各係合突部１７がそれぞれ、主柄筒部５の各係合溝９に係合する。そして、係合突部１７と係合溝９との係合により、主筐体２と副筐体３とが一体化して維持され得る。
【００３３】
ここで、係合突部１７と係合溝９とを係合した状態で、主筐体２と副筐体３との各中心軸線Ｓ１，Ｓ２が一致するようになっている。そして、副筐体３は、その他端開口縁１６の開口端１６ａが、主筐体２の他端開口縁６とリング設置周部７との間の段周部６ａに当接し、その長手方向位置も定まる。このように主筐体２と副筐体３とを係合した状態で、該主筐体２の主柄筒部５と副筐体３の副柄筒部１５とにより柄部１１が構成されており、該柄部１１の外周面形状が、両端から中央に向かって徐々に縮径するように形成されている。
【００３４】
この副筐体３は、その内部に、長手方向に沿って四つのリブ部１８が、周方向で均等間隔となるように形成されている。各リブ部１８は、その内側に電池３１を中心軸線Ｓ２に沿って挿入可能とし且つ位置決めできるように形成されている。そして、副筐体３の軸端１４ａ側内部には、電池３１のマイナス極を支持する板バネ形状の支持電極３３が配設されており、該支持電極３３から他端開口縁１６まで延成された細板状の導通線条３４が配設されている。このように、副筐体３の内部には、電池３１のマイナス側部位を収納する副収納空域３２ｂが形成されている。
【００３５】
また、上述した主筐体２には、その内部に、モータ２１を固定したモータ固定具２５が配設されている。ここで、モータ２１は、その駆動軸２２が中心軸線Ｓ１上に沿うようにして、モータ固定具２５を介して主筐体２に固定されている。このモータ２１には、その駆動軸２２の先端部に略円盤状の錘２３が取付られている。この錘２３は、前記駆動軸２２に偏心して接合している。そのため、モータ２１が回動すると、錘２３が中心軸線Ｓ１の周りを円周回転し、振動を発生する。この振動が、モータ固定具２５を介して主筐体２に伝わり、該主筐体２の指圧端部４と副筐体３の指圧端部１４とを振動する。
【００３６】
上記のモータ固定具２５には、主柄筒部５の他端開口縁６側に、電池３１のプラス極を支持する支持電極２６と、前記した副筐体３の導通線条３４に接続する板状の接続電極２７とが夫々設けられており、支持電極２６と接続電極２７とがモータ２１に夫々に接続している。そして、主筐体２は、その内部の、モータ固定具２５より他端開口縁６側に、電池３１のプラス寄り部位を収納する主収納空域３２ａを備えている。この主筐体２と副筐体３とを係合することによって、該主筐体２の主収納空域３２ａと副筐体３の副収納空域３２ｂとにより電池３１を収納する収納空域３２が形成される。そして、この収納空域３２に、両方の支持電極２６，３３間で電池３１を配することにより、前記したモータ２１を駆動することができる。
【００３７】
ここで、モータ２１のＯＮ／ＯＦＦ操作について説明する。上記した副筐体３の係合突部１７は、主筐体２の係合溝９に対して、周方向長さを短尺として形成されている。そして、主筐体２と副筐体３とを係合した状態で、該副筐体３と主筐体２とを相対的に一方へ回転することにより、主筐体２の接続電極２７と副筐体３の導通線状３４との周方向位置を合わせ、両者を接続状態としてモータ２１を駆動する。また、他方へ回転することにより、接続電極２７と導通線状３４との周方向位置をずらして非接続状態としてモータ２１を駆動停止する。このように主筐体２と副筐体３とを互いに回転することにより、モータ２１をＯＮ／ＯＦＦ操作することができる。また、主筐体２と副筐体３とは、前記非接続状態とした位置から他方へ回転することにより、主筐体２と副筐体３とを比較的容易に分離することができるようになっている。このように回転により、ＯＮ／ＯＦＦ操作し且つ取り外しするようにした構成は、従来から一般的に用いられている構成を適用することができるため、その詳細については省略する。
【００３８】
尚、モータ２１としては、本実施例にあって、高速回転するものを用いている。具体的には、１００００回転／分の回転速度のものである。このように高速回転することにより、指圧端部４，１４を細かく且つ強力に振動させることができる。
【００３９】
さらに、主筐体２を構成する指圧端部４の軸端（先端）内部には、図２のように、ネオジウム磁石３９が配設されている。本実施例では、３５００ガウスのネオジウム磁石３９を用いている。尚、このネオジウム磁石３９が、本考案にかかる磁石である。
【００４０】
一方、図１〜３のように、主筐体２と副筐体３とを係合した状態で、長手方向中央に位置するリング設置周部７には、上述したように、四つの刺激リング５１が長手方向に並んで配設されている。各刺激リング５１は、複数のビーズ状クリスタルガラス片５２を円環状につなぐことにより構成されている。そして、刺激リング５１は、前記リング設置周部７に外嵌するように、各ビーズ状クリスタルガラス片５２の内端を仮想的に結んだ内周の仮想内径が設定されている。さらに、刺激リング５１は、各ビーズ状クリスタルガラス片５２の内端を仮想的に結んだ外周の仮想外径が、主筐体２および副筐体３の各最大外径とほぼ同等とするように設定されている。このような刺激リング５１を配するリング設置周部７は、主筐体２と副筐体３との係合状態で、該主筐体２の傾斜周部８と副筐体３の副柄筒部１５との間で周方向に亘って溝形状をなす。これにより、四つの刺激リング５１は、リング設置周部７に配設された状態で、主筐体２の段周部７ａと副筐体３の開口端１６ａとによって長手方向中央に位置決めされる。
【００４１】
本実施例にあっては、モータ２１とその駆動軸２２に取り付けられた錘２３とにより、本考案にかかる振動手段が構成されており、また、電池３１により、本考案にかかる電力供給手段が構成されている。
【００４２】
このような本実施例の指圧代用器１は、主筐体２のリング設置周部７に四つの刺激リング５１を外嵌した後に、該主筐体２の他端開口縁６に副筐体３の他端開口縁１６を外嵌し、両者を係合してなるものである。そして、主筐体２と副筐体３とを係合する際に、電池３１を主筐体２の主収納空域３２ａと副筐体３の副収納空域３２ｂとに挿入することにより、該係合により形成される収納空域３２に電池３１を配設する。これにより、モータ２１を駆動して振動させることができる。
【００４３】
この指圧代用器１は、両端に指圧端部４，１４を備え、その間に柄部１１を備える構成であり、該柄部１１の中央に刺激リング５１が配設されている。この指圧代用器１を使用する場合には、例えば、その柄部１１を使用者が把持して、肩や背中等に一方の指圧端部４，１４を押し当てることにより、当てた部位をマッサージすることができる。
【００４４】
ここで、指圧代用器１は、その指圧端部４，１４を押し当てる指圧角度を変えることにより、該指圧端部４，１４が当たる曲面部位が変わるため、その曲面部位の曲率に応じて指圧面積を変えることができる。すなわち、指圧端部４，１４は、上述したように、軸端（先端）４ａ，１４ａ側へ曲率が大きくなる放物面形状の指圧面１０，２０を有しているから、前記指圧角度を変えることにより、指圧面１０，２０を構成する異なる曲率の曲面部位を局部的に当てることができる。そのため、指圧面１０，２０の曲面部位に従って、指圧面積を変えることができる。軸端４ａ，１４ａを当てれば、その曲率が最も大きいことから、指圧面積も狭く、また、基端４ｂ，１４ｂ近傍を当てれば、その曲率が小さいために、指圧面積も広くなる。
【００４５】
そして、このように指圧面積が変われば、同じ力加減で押し当てていても、該指圧面積に応じて指圧力も変わるため、指圧角度を変えることにより指圧力も変えることができる。そのため、指圧角度を調整することにより、指圧力を比較的容易に調整することができる。
【００４６】
このように、指圧代用器１は、使用者が力加減の調整と指圧角度の調整とを行うことにより、状況に応じて適正な指圧力に調整することができるため、最適なマッサージ効果を得易い。例えば、比較的力の弱い使用者が用いる場合にあっても、指圧端部４，１４の軸端４ａ，１４ａを押し当てることにより、比較的強い指圧力によりマッサージすることができ得る。また、指圧端部４，１４を押し当てた状態から離す際にも、指圧角度を小さくしながら離すことにより、急激な指圧力の低減を抑制できるため、筋緊張を抑制することができる。このように本考案にかかる指圧代用器１を用いることにより、指圧の専門家と同等のマッサージ効果を比較的容易かつ安定的に得ることが可能である。
【００４７】
また、指圧代用器１は、その柄部１１の外周面が両端から中央側へ縮径した形状であるため、使用者が手で持ち易く、指圧角度の調整や力加減の調整なども行い易い。さらに、肩などに押し当てて指圧する際に、疲れ難いという利点もある。また、上述したように、柄部１１の中央には刺激リング５１が配設されていることから、該刺激リング５１が滑り留めとしての作用も生じ、指圧端部４，１４を押し当てている際に、位置ズレなどを生じてしまうことも抑制できる。
【００４８】
また、指圧代用器１は、上述したようにモータ２１を駆動することにより、指圧端部４，１４を振動させることができる。この振動により、上記したマッサージ効果を一層安定して得ることができ、該マッサージ効果がさらに高まる。特に、本実施例では、高速回転するモータ２１を用いていることから、細かく且つ強力な振動を発生するため、マッサージ効果の向上効果も大きい。
【００４９】
ここで、モータ２１は、主筐体２に配設されていることから、主筐体２の指圧端部４が、副筐体３の指圧端部１４に比してモータ２１に近く、振動減衰も小さい。そのため、主筐体２の指圧端部４を押し当てることにより、比較的強い振動によるマッサージ効果を生じ、また、副筐体３の指圧端部１４を押し当てることにより、ソフトな振動によるマッサージ効果を生じ得る。そのため、両端の指圧端部４，１４を選択的に使用することにより、振動による適度なマッサージ効果を比較的容易に得ることができる。
【００５０】
さらに、指圧端部４は、上記のように指圧面１０が放物面形状をなすものであることから、モータ２１の駆動により振動が軸端（先端）４ａに向かって集中する。そのため、指圧端部４の軸端４ａでは、その基端４ｂに比して強い振動を生じ、強い刺激によるマッサージ効果を得ることができる。これにより、比較的力の弱い人でも、指圧端部４の軸端４ａを押し当てることによって、強いマッサージ効果を容易に得ることができる。また、基端４ｂ近傍では、ソフトな振動によるマッサージ効果を得ることもできる。さらにまた、モータ２１は、その駆動軸２２が中心軸線Ｓ１に沿うように配設されていることから、当該モータ２１の駆動により、指圧端部４の軸端４ａが回転振動し、指圧端部４の基端４ｂが前後左右に振動する。このように指圧端部４を押し当てる曲面部位によって、異なる振動によるマッサージを行うことができる。以上のことから、指圧端部４を振動してマッサージする場合にあっても、指圧端部４を押し当てる曲面部位に応じて振動によるマッサージ効果を適正に調整することができ得る。
【００５１】
また、主筐体２の指圧端部４には、その内部にネオジウム磁石３９を配設していることから、その磁力が該指圧端部４を押し当てた部位に作用するため、さらにマッサージ効果を高めることができる。特に、本実施例では、３５００ガウスという比較的強い磁力のネオジウム磁石３９を用いていることから、前記したマッサージ効果が一層高まる。尚、副筐体３の指圧端部１４には、磁石を配していないため、磁力の効果が薄い。そのため、両方の指圧端部４，１４とを適宜使い分けることにより、適正なマッサージ効果を得やすい。
【００５２】
また、指圧代用器１の中央には、刺激リング５１が配設されていることから、使用者が柄部１１を把持することにより、その掌を刺激することができる。すなわち、使用者が自らの肩などを、当該指圧代用器１を用いて指圧する場合には、上記したように指圧端部４，１４によるマッサージ効果と共に、刺激リング５１による掌の刺激効果も得ることができる。
【００５３】
さらに、この指圧代用器１を床において、足の裏で転がすことにより、刺激リング５１により足の裏を容易に刺激することもできる。指圧代用器１は、刺激リング５１の仮想外径が、主筐体２および副筐体３の最大外径とほぼ同一としている構成であるため、床上で容易かつ安定的に転がすことができるという利点も有する。さらに、床をビーズ状クリスタルガラス片５２で傷つけてしまうことも防止できるという利点も有する。
【００５４】
一方、上述した実施例の構成にあっては、両端に指圧端部を備えた構成であるが、その他の構成として、一端にのみ指圧端部を備えた構成とすることができる。例えば、副筐体が指圧端部を有しない構成である。
【００５５】
また、上述した実施例の構成は、両端に同じ放物面形状とする指圧端部を備えた構成であるが、両端の指圧端部を互いに異なる放物面形状とした構成とすることもできる。この場合には、一方の指圧端部を選択して使用することにより、さらに、指圧面積や指圧力を容易に調整することができる。
【００５６】
また、上述した実施例の構成にあっては、刺激リングを４つ並設した構成であるが、その他の構成として、刺激リングを一つ配設する構成、三つ並設する構成などとすることができる。このように刺激リングの配設個数は、指圧代用器のサイズ等に応じて適宜設定することが可能である。さらに、上述した実施例では、３５００ガウスのネオジム磁石を配設した構成であるが、異なる磁力を有するネオジウム磁石を用いることも可能である。また、サマリウムコバルト磁石などのように、比較的強い磁力を有する磁石を用いることもできる。さらにまた、上述した実施例では、１００００回転／分の回転速度のモータを配設した構成であるが、異なる回転速度のモータを用いることも可能である。
【００５７】
本考案は、上述した実施例に限定されるものではなく、本考案の要旨の範囲内で適宜用いることができる。例えば、モータや電池を配設しない構成や、磁石を配設しない構成とすることもできる。
【図面の簡単な説明】
【００５８】
【図１】指圧代用器１の側面図である。
【図２】指圧代用器１の縦断面図である。
【図３】指圧代用器１を分解した状態を示す部分断面図である。
【図４】指圧代用器１の指圧端部４の拡大図である。
【符号の説明】
【００５９】
１  指圧代用器
２  主筐体
３  副筐体
４，１４  指圧端部
５  主柄筒部
６，１６  他端開口縁
１０，２０  指圧面
１１  柄部
１５  副柄筒部
２１  モータ（振動手段）
２３  錘（振動手段）
３１  電池（電力供給手段）
３２  収納空域
３９  ネオジウム磁石（磁石）
５１  刺激リング
５２  ビーズ状クリスタルガラス片
【図１】
0003149082.tif 000003
【図２】
0003149082.tif 000004
【図３】
0003149082.tif 000005
【図４】
0003149082.tif 000006